(57)【要約】  放勢によりカム軸（３）を回転させて、開閉装置の接点を投入するための投入駆動力を与える投入ばね（１６）と、投入ばね（１６）の蓄勢エネルギーを投入レバー（６）を介して保持する第１の半月ラッチ（５）と、第１の半月ラッチ（５）による保持が解除されて投入ばね（１６）が放勢されたとき、カム軸（３）に設けられたカム（２）に押圧されて回動し、リンク機構を介して開閉装置に投入駆動力を伝達する出力レバー（１０）と、リンク機構に設けた遮断ばねの蓄勢エネルギーが伝達されて出力レバー（１０）が引外し方向に回動するのを引外しレバー（８）を介して阻止し、遮断ばねの蓄勢エネルギーを保持する第２の半月ラッチと（１３）とを備えて構成した。
2011055564.tif 000002
【特許請求の範囲】
【請求項１】
放勢によりカム軸を回転させて、開閉装置の接点を投入するための投入駆動力を与える投入ばねと、
前記カム軸から伝達される前記投入ばねの蓄勢エネルギーを、投入レバーを介して保持する第１の半月ラッチと、
前記第１の半月ラッチによる保持が解除され前記投入ばねが放勢されたとき、前記カム軸に設けられたカムに押圧されて回動し、リンク機構を介して前記開閉装置に前記投入駆動力を伝達する出力レバーと、
前記リンク機構に設けた遮断ばねの蓄勢エネルギーが伝達されて前記出力レバーが引外し方向に回動するのを引外しレバーを介して阻止し、前記遮断ばねの蓄勢エネルギーを保持する第２の半月ラッチと、
を備えていることを特徴とする開閉装置の操作機構。
【請求項２】
請求項１記載の開閉装置の操作機構において、
前記投入レバーは、一端側に係止部が形成され他端側が回動可能に支持され、前記係止部と回動中心部との間の前記回動中心部に近い位置にピンが設けられており、
前記カムの回転により前記ピンが押されて前記投入レバーが回動し、前記投入レバーの前記係止部が前記第１の半月ラッチに設けた切欠部と係合することで、前記投入ばねの蓄勢エネルギーが保持されるように構成されていることを特徴とする開閉装置の操作機構。
【請求項３】
請求項１記載の開閉装置の操作機構において、
前記引外しレバーは、一端側に係止部が形成され他端側が回動可能に支持され、前記係止部と回動中心部との中間部に設けられた軸ピンに一端が回動可能に支持された中間レバーを備えており、
前記遮断ばねの蓄勢エネルギーにより、前記出力レバーが引外し方向に回動しようとする駆動力で、前記出力レバーに設けられたラッチピンに前記中間レバーの他端側が押されて前記引外しレバーが回動し、前記引外しレバーの前記係止部と前記第２の半月ラッチに設けた切欠部とが係合することで、前記遮断ばねの蓄勢エネルギーが保持されるように構成されていることを特徴とする開閉装置の操作機構。
【請求項４】
請求項２または請求項３記載の開閉装置の操作機構において、
前記第１の半月ラッチ及び前記第２の半月ラッチは、丸棒状部材から成り、前記切欠部は、長手方向の一部を半月状の断面を残して切り欠いて形成され、前記各半月ラッチを回動させる駆動板の取付部が、前記切欠部とは別の前記長手方向の位置に、半月状の断面を残して切り欠いて形成されていることを特徴とする開閉装置の操作機構。
【請求項５】
請求項４記載の開閉装置の操作機構において、
前記各半月ラッチに形成された前記切欠部と前記取付部とは、棒状をした前記各半月ラッチの周方向のほぼ１８０度ずれた位置に形成されていることを特徴とする開閉装置の操作機構。
【発明の詳細な説明】
【技術分野】
【０００１】
この発明は、遮断器、開閉器等の開閉装置の操作機構に関するものである。
【背景技術】
【０００２】
従来の、遮断器等の開閉装置に使用される操作機構として、例えば次のような技術が開示されている。
放勢により開路動作を行う遮断ばねと、放勢により閉路動作を行う投入ばねとを有し、引外しトリガによって遮断ばねの蓄勢エネルギーの保持を解除させることで、その蓄勢エネルギーが放勢されて開路動作を行ない、投入トリガによって投入ばねの蓄勢エネルギーの保持を解除させることで、その蓄勢エネルギーを放勢させて閉路動作を行わせるようになっている。引外しトリガと投入トリガは同一のトリガ軸に独立して回転可能に装着されており、投入状態のとき、引外しトリガには投入状態を保持するための引外しラッチレバーによって、遮断ばねの付勢力が減衰された荷重がかかるように構成されている。
【先行技術文献】
【特許文献】
【０００３】
【特許文献１】特開２００５−２２８７１３号公報（第２頁、図１）
【発明の概要】
【発明が解決しようとする課題】
【０００４】
特許文献1に示されたような従来の操作装置では、引外しラッチと出力レバーに植設されたピンとが係合することによって投入状態が保持されている。このとき、係合箇所から引外しラッチの回動中心位置までの距離が離れているため、力線の向きがずれるとラッチが外れやすくなり、位置調整が面倒であり、場合によっては投入状態の保持ができなくなる可能性があるという問題点があった。【０００５】
この発明は上記のような問題点を解消するためになされたもので、投入及び引外し動作において、投入及び遮断ばねの蓄勢エネルギーを保持するラッチ部の信頼性を高めた開閉装置の操作機構を提供することを目的とする。
【課題を解決するための手段】
【０００６】
この発明の開閉装置の操作機構は、放勢によりカム軸を回転させて、開閉装置の接点を投入するための投入駆動力を与える投入ばねと、カム軸から伝達される投入ばねの蓄勢エネルギーを、投入レバーを介して保持する第１の半月ラッチと、第１の半月ラッチによる保持が解除されて投入ばねが放勢されたとき、カム軸に設けられたカムに押圧されて回動し、リンク機構を介して開閉装置に投入駆動力を伝達する出力レバーと、リンク機構に設けた遮断ばねの蓄勢エネルギーが伝達されて出力レバーが引外し方向に回動するのを引外しレバーを介して阻止し、遮断ばねの蓄勢エネルギーを保持する第２の半月ラッチと、を備えたものである。
【発明の効果】
【０００７】
この発明の開閉装置の操作機構によれば、投入ばねの蓄勢エネルギーを、投入レバーを介して保持する第１の半月ラッチと、遮断ばねの蓄勢エネルギーを、引外しレバーを介して保持する第２の半月ラッチとを備えたので、各半月ラッチの回動中心から係合箇所までの距離を短くできるため、位置調整が容易で、投入ばね及び遮断ばねの蓄勢エネルギーの保持が確実にでき、信頼性の高い開閉装置の操作機構を得ることができる。
また、ラッチ部にかかる荷重を低減でき、小さな駆動力でラッチを駆動できる。
【図面の簡単な説明】
【０００８】
【図１】この発明の実施の形態１による開閉装置の操作機構を示す斜視図である。
【図２】図１の要部（主に投入駆動力の蓄勢機構部）を示す斜視図である。
【図３】図２の投入レバーを示す斜視図である。
【図４】図２の第１の半月ラッチを示す図である。
【図５】図１の要部（主に投入状態の保持機構部）を示す斜視図である。
【図６】図５の引外しレバーを示す斜視図である。
【図７】この発明の実施の形態１による開閉装置の操作機構の投入ばねの蓄勢保持動作を説明する図である。
【図８】この発明の実施の形態１による開閉装置の操作機構の投入ばねの蓄勢保持動作を説明する図である。
【図９】この発明の実施の形態１による開閉装置の操作機構の投入ばねの蓄勢保持動作を説明する図である。
【図１０】この発明の実施の形態１による開閉装置の操作機構の投入及び投入保持動作を説明する図である。
【図１１】この発明の実施の形態１による開閉装置の操作機構の投入及び投入保持動作を説明する図である。
【図１２】この発明の実施の形態１による開閉装置の操作機構の投入及び投入保持動作を説明する図である。
【図１３】この発明の実施の形態１による開閉装置の操作機構の引外し動作を説明する図である。
【発明を実施するための形態】
【０００９】
実施の形態１．
図１は実施の形態１による開閉装置の操作機構の斜視図である。開閉装置としては、例えば真空バルブを用いた真空遮断器を例に説明する。まず、図１の斜視図によって操作機構全体の構成を説明する。但し、図１では内部に隠れて形状が分かりづらい部品もあるので、各部品相互の配置関係を主に説明し、各部の形状の詳細については、図２〜図６の部分図によって説明することにする。
【００１０】
図１に示すように、形状の異なる２枚のフレーム１ａ，１ｂ間に、投入駆動力を伝達するカム２が固着されたカム軸３が配設されている。カム軸３の上方には駆動板４が固着された第１の半月ラッチ５が、また後方には投入レバー６が固着された投入レバー軸７が配設されている。そして、カム軸３の前方には引外しレバー８が軸支された引外しレバー回動軸９が、また、後部下方には出力レバー１０の回動中心となる出力レバー軸１１が、更に、前方下部には駆動板１２が固着された第２の半月ラッチ１３が配設されている。上記各軸および各ラッチは２枚のフレーム１ａ，１ｂと垂直方向に、互いに並行に配設されている。
【００１１】
フレーム１ａの外側に突出したカム軸３の端部には、大歯車１４が固着されており、大歯車１４にはこの回転に伴ってクランク運動するクランクロッド１５が連結されている。そして、一端がフレーム側に支持され、他端がクランクロッド１５の動きに連動して伸縮して大歯車１４に対し投入方向の駆動力を付与する投入ばね１６が設けられている。
また、出力レバー１０には、出力リンク１７の一端側が回動可能に軸支されており、この出力リンク１７の他端側は、図示しないリンク機構を介して真空遮断器の真空バルブの可動接点に連結されている（図５参照）。
以下、各パートに分けて、更に構成の詳細について説明する。
【００１２】
図２は、カム軸３の上方及び後方にあって、主に投入駆動力の蓄勢機構となる部分を示す斜視図である。図では、図１で説明した二枚のフレーム１ａ，１ｂのうちの、右側のフレーム１ｂを省いて内部が見えるように表示している。
大歯車１４が連結されて投入ばね１６から駆動力が伝達されるカム軸３にはカム２が固着されている。カム２の両側に隙間を空けてカム２を挟むような形で、２枚の投入レバー６（詳細は後述）が配置され、投入レバー６の一端側には係止部６ａが形成され、他端側が投入レバー軸７に固着されて、投入レバー軸７を中心に回動できるようになっている。投入レバー軸７には、ひねりばね１８が設けられており、その一端を投入レバー６に引っ掛け、他端をフレーム１ｂ側に係止させることで、投入レバー６を図で反時計方向に回動させるように付勢されている。但し、図の位置以上には反時計側に回動しないように図示しないストッパが設けられている。
また、投入レバー６には、２枚の投入レバーを繋ぐようにピン１９が設けられており、このピンは、カム軸３が回転したときにカム２が当接するような位置に配置されている。
【００１３】
カム軸３の上方には、第１の半月ラッチ５（詳細は後述）がフレーム１ａ，１ｂに回動自在に設けられている。この第１の半月ラッチ５の一部には、ラッチ部となる切欠部５ａが形成されており、この切欠部５ａと投入レバー６に設けた係止部６ａとが係合するように配置されている。通常の状態（第１の半月ラッチ５と投入レバー５を係合させない状態）では、図のように投入レバー６の係止部６ａと第１の半月ラッチ５の切欠部５ａとはクリアランスを有する位置で保持されるように、ひねりばね１８で反時計方向に付勢されている。そして、投入レバー６が図で時計方向に回動したときに係止部６ａと切欠部５ａが係合する。
また、第１の半月ラッチ５には、係合を解除する駆動力が付与される部分となる駆動板４が、リベットやボルト等で取り付けられている。
【００１４】
図３は、投入レバー６を示す斜視図である。図のように、一端側に先に説明した第１の半月ラッチ５と係合する係止部６ａが形成されており、他端側には投入レバー軸７に固着される軸穴６ｂが設けられている。また、係止部６ａと軸穴６ｂの間で軸穴６ｂに近い位置には、先に説明したピン１９が固着されるピン穴６ｃが設けられている。なお、切欠部６ｄはひねりばね１８の係止用である。
【００１５】
図４は、第１の半月ラッチ５を示す図であり、（ａ）は半月ラッチ５単体を示し、（ｂ）は半月ラッチ５に駆動板４を取り付けた状態を示し、（ｃ）は（ａ）のｃ−ｃから見た断面を示している。
（ａ）に示すように、第１の半月ラッチ５は丸棒状部材から成り、長手方向の一部に、半月状の断面（（ｃ）参照）を残して切り欠いた切欠部５ａが形成されている。切欠部５ａの軸方向の長さは、２枚の板からなる投入レバー６の幅より大きくしている。この切欠部５ａの角部が投入レバー６との係合部となる部分である。切欠部５ａに対して長手方向にずれた位置で、且つ、周方向にほぼ１８０度反対の位置に同様に切り欠いて、駆動板４が取り付けられる取付部５ｂと取付穴５ｃが形成されている。
（ｂ）に示すように、取付部５ｂには駆動板４がはめ込まれ、取付穴５ｃを利用してリベットやボルト等の締結部材で固着されている。
なお、駆動板４の形状は一例を示すものであり、図の形に限定するものではなく、後述の投入ボタンの配置等の都合で適宜決めればよい。
また、切欠部５ａに対して取付部５ｂを周方向に１８０度ずれた位置に形成したのは、第１の半月ラッチ５を、回転軸に対して少しでも質量のバランスをとるためであり、必ずしも１８０度に限定するものではない。
【００１６】
係合解除動作においては、駆動板４を図示しない投入ボタンで押圧して第１の半月ラッチ５を回動させるが、係合解除後は、確実に元の位置へ戻るようにするために、（ａ）に示すように、一方の軸端にひねりばね取付用のばね取付穴５ｄを設けている。更に、ひねりばねを挿入しやすいように、その軸端部には面取りを施している。（ｂ）に一点鎖線で示すように、軸端部に挿入したひねりばね２０の一端をばね取付穴５ｄに挿入し、他端をフレーム１ａに係止させることで、第１の半月ラッチ５に係合解除方向の回転力を与えることができるようになっている。
また、第１の半月ラッチ５の回動範囲を規制するために、例えば、予めフレーム側に穴を設けておき、駆動板４の一部を穴の中に移動可能に配置することで回転角度を規制する等の手段がとられている。これ以外にも、例えばラッチ本体の切欠部とは離れた位置にピンを植設しておき、フレーム側にこれと接触させるためのストッパを用いる等の手段でも良い。
【００１７】
次に、図５の斜視図に基づき、カム軸３の前方と後方及び下方に配置されて、主に投入動作から投入保持動作に関連する機構部分の構成について説明する。図５も左側のフレーム１ｂを省いて内部が見えるように表示している。
図において、カム軸３は図２で説明したので説明は省略する。その後部下方に配置された出力レバー軸１１に、２枚の板で構成された出力レバー１０が支持されており、出力レバー軸１１を中心に回動する。
２枚の出力レバー１０の間には次の部材が取付けられている。まず、出力レバー１０の上部で出力レバー軸１１の前方側に、回転自在にローラ２１が設けられている。このローラ２１はカム２が回転したときに転接して押圧される位置関係にある。ローラ２１の前方側には、ラッチピン２２が設けられている。そして、出力レバー１０の下方側には出力リンク１７の一端が回動自在に支持されている。
【００１８】
出力リンク１７から先は、一例として模式的に示しているが、リンク機構２３を介して真空遮断器の真空バルブ２４の可動接触子２５に連結されている。リンク機構２３の途中には、遮断ばね２６が設けられて、真空バルブ２４の可動接触子２５を開放側へ駆動するように付勢されている。この付勢力は、出力リンク１７を上方に駆動させる駆動力としても働いている。
【００１９】
カム軸３の前方には、引外しレバー回動軸９がフレームに設けられている。引外しレバー回動軸９には、２枚の板状部材からなる引外しレバー８（詳細は後述）の一端側が軸支されている。引外しレバー８の他端側は、図３で説明した投入レバー６の係止部６ａと同様な段状の係止部８ａが形成されている。そして、２枚の引外しレバー８の間に挟まれた形で、軸ピン２７に一端側が支持された中間レバー２８が、引外しレバー８に対して回動自在に結合されている。
【００２０】
引外しレバー８の係止部８ａと係合可能な位置に、第２の半月ラッチ１３が、フレーム１ａ，１ｂに回動自在に設けられている。第２の半月ラッチ１３の本体形状は、図４で説明した第１の半月ラッチ５と同等である。但し、駆動板１２は、駆動板４と同じではなく、押圧方向や近隣の部材の配置との関係で、適宜その形状を決めればよい。すなわち、同一部品の半月ラッチの本体部を用いながら、駆動板を使い分けることにより，投入操作に使用する第１の半月ラッチ５と引外し操作に使用する第２の半月ラッチ１３とに使用でき、部品の共通化により部品点数の削減が可能となる。
【００２１】
図６は、引外しレバー８の斜視図であり、２枚組のうちの１枚のみ示している。一端側に第２の半月ラッチ１３と係合する段状の係止部８ａが形成され、他端側には引外しレバー回動軸９に貫通させる軸穴８ｂが形成されている。係止部８ａと軸穴８ｂの中間部に設けられたピン穴８ｃは先に説明した軸ピン２７が挿入固定され、この軸ピン２７に中間レバー２８が回動自在に取り付けられる。中間レバー２８の働きについては後述する。
以上までが各構成の説明であるが、次に、本実施の形態の操作機構の動作について説明する。
【００２２】
まず、投入ばねの蓄勢保持動作について図７〜図９にしたがって説明する。
図７は投入動作前の状態を説明する図である。カム軸３、投入レバー軸７、第１の半月ラッチ５近傍を取り出して示している（図８，９も同様）。初期状態（蓄勢動作に入る前）では投入レバー６の係止部６ａと第１の半月ラッチ５の切欠部５ａは、クリアランスが存在する状態となっている。すなわち、投入レバー６はひねりばね１８の作用により矢印Ａ方向に付勢されて図の位置に保持されている。
最初に、図１を参照しながら、カム軸３の動作から説明する。図示しない電動機等の駆動力により大歯車１４を矢印方向に回転させる。この回転に伴ってクランクロッド１５がクランク運動をおこない、投入ばね１６を蓄勢する。下死点を越えると蓄勢された投入ばね１６の大荷重によって大歯車１４には回転力が付与される。大歯車１４にはカム軸３が連結されており、カム軸３にはカム２が固着されているので、大歯車１４に回転力が付与されるとカム軸３と共にカム２も回転する。
【００２３】
図７に戻り説明する。カム２は２枚の投入レバー６間を矢印Ｂのように時計回りに回転する。回転が進むと、図８のように、回転によってカム２は投入レバー６に固着されたピン１９と接触する。ピン１９がカム２から荷重を受けると投入レバー軸７に対して図の太矢印の向きにトルクが発生し、投入レバー６が時計回りに回転を始める。投入レバー６にはひねりばね１８の力が作用しているが、投入ばね１６による荷重はそれにうち勝ち、投入レバー６はクリアランス分だけ回転する。すると、図９のように、先端側の係止部６ａと第１の半月ラッチ５の切欠部５ａのエッジ部が係合し、カム２と投入レバー６の動きが停止する。この状態が、投入ばね１６の蓄勢エネルギーを保つための蓄勢保持である。
【００２４】
このとき、投入レバー６の回動中心位置から係止部６ａと第１の半月ラッチ５の切欠部５ａとの係合部までの距離が長くなるような構造にし、更に、カム２からの駆動力は回動中心に近いピン１９で受けているため、第１の半月ラッチ５が受ける荷重は、蓄勢した投入ばね１６による大荷重を低減させたものとなり、これが荷重低減の機構となっている。すなわち、投入ばね１６からの大きな荷重を直接ラッチで受けるのではなく、投入レバー６を介して第1の半月ラッチ５で受けるようになっている。
また、半月ラッチの回動中心から係合箇所までの距離が短かいので、係合位置の位置調整が容易である。
【００２５】
次に投入動作について説明する。
投入動作は前記の蓄勢保時状態を解除することにより行われる。保持状態の解除は投入レバー６と係合している第１の半月ラッチ５を回転させることにより行う。この操作は、図９中に太矢印で示すように、第１の半月ラッチ５に取付けた駆動板４を、例えば、図示しないコイルボタン等からなる投入ボタンで押すことにより容易に実行可能である。
図９の状態から、第１の半月ラッチ５と投入レバー６の係合が解除されると、カム２により投入レバー６のピン１９が押され、その駆動力で投入レバー６が時計方向に回転し、カム２も時計方向に回転できるようになる。
【００２６】
次に、真空遮断器の投入動作から投入保持動作に至るまでを説明する。
図１０〜図１３は、カム軸３，出力レバー軸１１，引外しレバー回動軸９，第２の半月ラッチ１３の周辺部を取り出した説明図である。
図１０に示すように、図９の状態からカム２が回転すると、次にカム２は出力レバー１０に取付けられているローラ２１と接触し、カム２が転接しながらローラ２１を押し下げるように作用する。これにより、出力レバー１０は図１０の太矢印に示すように出力レバー軸１１を中心に反時計方向に回動するので、出力レバー１０に連結されている出力リンク１７が遮断ばね２６の付勢力に打ち勝って下方に押し下げられる。出力リンク１７には、図５で説明したように、リンク機構２３を介して真空バルブ２４とつながっているので、出力レバー１０の押し下げ動作により、真空バルブ２４の可動接触子２５が閉じ、これにより遮断器は投入状態となる。
【００２７】
次に、投入保持動作について説明する。
カム２が更に回転してローラ２１から離れる時点では、図１１に示すように、中間レバー２８の先端部とラッチピン２２が係合し図の状態となる。カム２がローラ２１から離れれば、出力レバー１０はカム２側からの駆動力を受けないので、出力リンク１７に連結されたリンク機構２３の途中に設けられている遮断ばね２６（図５参照）の付勢力により、出力リンク１７が矢印の方向に駆動され、これが出力レバー１０を時計方向に回転させる力として働く。すると、中間レバー２８はラッチピン２２から荷重を受ける。
なお、出力レバー軸１１の中心に対して出力リンク１７の支点が図で左方にＬだけずれているので、遮断ばね２６の付勢力が作用したとき出力レバー１０は時計方向の回転力を受けることになる。
【００２８】
このとき，中間レバー２８と引外しレバー８は軸ピン２７により結合されているため、荷重の作用により引外しレバー回動軸９に対してトルクが発生し図１１の太矢印の向きへ引外しレバー８と中間レバー２８とが一体となって回動する。この動作により、引外しレバー８の係止部８ａと第２の半月ラッチ１３の切欠部１３ａのクリアランス分だけ回動し、係止部８ａが切欠部１３ａのエッジ部に係合し、図１２状態となって投入状態が保持される。
このとき，引外しレバー８の回動中心位置から引外しレバー８の係止部８ａと第２の半月ラッチ１３の切欠部１３ａとの係合部までの距離を長くし、引き外しレバー８とその途中に設けた中間レバー２８とを介して荷重を受けるようにしているため、第２の半月ラッチ１３が受ける荷重は、中間レバー２８がラッチピン２２から受ける荷重を低減させたものとなり、前記と同様の荷重低減の効果が期待できる。
【００２９】
次に、引外し動作について説明する。
真空遮断器の引外し動作は、上記の投入保時状態を解除することにより行われる。保持状態の解除は引外しレバー８と係合している第２の半月ラッチ１３を回転させることにより行う。この操作を行うときは、前記と同様で第２の半月ラッチ１３に取付けた駆動板１２を、例えば、図示しないコイルボタン等からなる引外しボタンで図１２の太矢印で示す方向に押すことにより容易に実行可能である。
図１３のように、第２の半月ラッチ１３を回転させて引外しレバー８と第２の半月ラッチ１３の係合が解除されると、中間レバー２８がラッチピン２２に押されて時計方向へ回動し、中間レバー２８とラッチピン２２との係合が解除される。これにより、遮断ばね２６の付勢力で出力リンク１７が矢印方向に押し上げられ、リンク機構２３を介して真空バルブ２４の接点が開く。
【００３０】
以上のように、実施の形態１の開閉装置の操作機構によれば、放勢によりカム軸を回転させて、開閉装置の接点を投入するための投入駆動力を与える投入ばねと、カム軸から伝達される投入ばねの蓄勢エネルギーを、投入レバーを介して保持する第１の半月ラッチと、第１の半月ラッチによる保持が解除されて投入ばねが放勢されたとき、カム軸に設けられたカムに押圧されて回動し、リンク機構を介して開閉装置に投入駆動力を伝達する出力レバーと、リンク機構に設けた遮断ばねの蓄勢エネルギーが伝達されて出力レバーが引外し方向に回動するのを引外しレバーを介して阻止し、遮断ばねの蓄勢エネルギーを保持する第２の半月ラッチと、を備えたので、荷重を受ける最終位置に半月ラッチを採用して、半月ラッチの回動中心から係合箇所までの距離を短くできるため、位置調整が容易で、投入ばね及び遮断ばねの蓄勢エネルギーの保持が確実にでき、信頼性の高い開閉装置の操作機構を得ることができる。
また、ラッチ部にかかる荷重を低減でき、小さな駆動力でラッチを駆動できる。
【００３１】
また、投入レバーは、一端側に係止部が形成され他端側が回動可能に支持され、係止部と回動中心部との間の回動中心部に近い位置にピンが設けられており、カムの回転によりピンが押されて投入レバーが回動し、投入レバーの係止部が第１の半月ラッチに設けた切欠部と係合することで、投入ばねの蓄勢エネルギーが保持されるように構成したので、蓄勢した投入ばねによる大荷重が低減された状態で、第１の半月ラッチが荷重を受けることになるため、第１の半月ラッチを小形化することができ、操作機構の小型化を図ることができる。
【００３２】
また、引外しレバーは、一端側に係止部が形成され他端側が回動可能に支持され、係止部と回動中心部との中間部に設けられた軸ピンに一端が回動可能に支持された中間レバーを備えており、遮断ばねの蓄勢エネルギーにより、出力レバーが引外し方向に回動しようとする駆動力で、出力レバーに設けられたラッチピンに中間レバーの他端側が押されて引外しレバーが回動し、引外しレバーの係止部と第２の半月ラッチに設けた切欠部とが係合することで、遮断ばねの蓄勢エネルギーが保持されるように構成したので、蓄勢した遮断ばねによる大荷重が低減された状態で、第２の半月ラッチが荷重を受けることになるため、第２の半月ラッチを小形化することができ、操作機構の小型化を図ることができる。
【００３３】
また、第１の半月ラッチ及び第２の半月ラッチは、丸棒状部材から成り、切欠部は、長手方向の一部を半月状の断面を残して切り欠いて形成され、各半月ラッチを回動させる駆動板の取付部が、切欠部とは別の長手方向の位置に、半月状の断面を残して切り欠いて形成したので、駆動板の形状を適宜変えることで、同形状の半月ラッチを、投入操作用と引外し操作用とに使用でき、部品の共通化が図れる。
【００３４】
更に、各半月ラッチに形成された切欠部と取付部とは、棒状をした半月ラッチの周方向のほぼ１８０度ずれた位置に形成したので、半月ラッチの回転中心と重心のずれを少なくでき、慣性モーメントを小さくできる。
【図１】
2011055564.tif 000003
【図２】
2011055564.tif 000004
【図３】
2011055564.tif 000005
【図４】
2011055564.tif 000006
【図５】
2011055564.tif 000007
【図６】
2011055564.tif 000008
【図７】
2011055564.tif 000009
【図８】
2011055564.tif 000010
【図９】
2011055564.tif 000011
【図１０】
2011055564.tif 000012
【図１１】
2011055564.tif 000013
【図１２】
2011055564.tif 000014
【図１３】
2011055564.tif 000015
【手続補正書】
【提出日】平成24年12月18日(2012.12.18)
【手続補正１】
【補正対象書類名】特許請求の範囲
【補正対象項目名】全文
【補正方法】変更
【補正の内容】
【特許請求の範囲】
【請求項１】
放勢によりカム軸を回転させて、開閉装置の接点を投入するための投入駆動力を与える投入ばねと、
前記カム軸から伝達される前記投入ばねの蓄勢エネルギーを、投入レバーを介して保持する第１の半月ラッチと、
前記第１の半月ラッチによる保持が解除され前記投入ばねが放勢されたとき、前記カム軸に設けられたカムに押圧されて回動し、リンク機構を介して前記開閉装置に前記投入駆動力を伝達する出力レバーと、
前記リンク機構に設けた遮断ばねの蓄勢エネルギーが伝達されて前記出力レバーが引外し方向に回動するのを引外しレバーを介して阻止し、前記遮断ばねの蓄勢エネルギーを保持する第２の半月ラッチとを備え、
前記投入レバーは、一端側に係止部が形成され他端側が回動可能に支持され、前記係止部と回動中心部との間の前記回動中心部に近い位置にピンが設けられており、
前記カムの回転により前記ピンが押されて前記投入レバーが回動し、前記投入レバーの前記係止部が前記第１の半月ラッチに設けた切欠部と係合することで、前記投入ばねの蓄勢エネルギーが保持されるように構成されていることを特徴とする開閉装置の操作機構。
【請求項２】
放勢によりカム軸を回転させて、開閉装置の接点を投入するための投入駆動力を与える投入ばねと、
前記カム軸から伝達される前記投入ばねの蓄勢エネルギーを、投入レバーを介して保持する第１の半月ラッチと、
前記第１の半月ラッチによる保持が解除され前記投入ばねが放勢されたとき、前記カム軸に設けられたカムに押圧されて回動し、リンク機構を介して前記開閉装置に前記投入駆動力を伝達する出力レバーと、
前記リンク機構に設けた遮断ばねの蓄勢エネルギーが伝達されて前記出力レバーが引外し方向に回動するのを引外しレバーを介して阻止し、前記遮断ばねの蓄勢エネルギーを保持する第２の半月ラッチとを備え、
前記引外しレバーは、一端側に係止部が形成され他端側が回動可能に支持され、前記係止部と回動中心部との中間部に設けられた軸ピンに一端が回動可能に支持された中間レバーを備えており、
前記遮断ばねの蓄勢エネルギーにより、前記出力レバーが引外し方向に回動しようとする駆動力で、前記出力レバーに設けられたラッチピンに前記中間レバーの他端側が押されて前記引外しレバーが回動し、前記引外しレバーの前記係止部と前記第２の半月ラッチに設けた切欠部とが係合することで、前記遮断ばねの蓄勢エネルギーが保持されるように構成されていることを特徴とする開閉装置の操作機構。
【請求項３】
請求項１または請求項２記載の開閉装置の操作機構において、
前記第１の半月ラッチ及び前記第２の半月ラッチは、丸棒状部材から成り、前記切欠部は、長手方向の一部を半月状の断面を残して切り欠いて形成され、前記各半月ラッチを回動させる駆動板の取付部が、前記切欠部とは別の前記長手方向の位置に、半月状の断面を残して切り欠いて形成されていることを特徴とする開閉装置の操作機構。
【請求項４】
請求項３記載の開閉装置の操作機構において、
前記各半月ラッチに形成された前記切欠部と前記取付部とは、棒状をした前記各半月ラッチの周方向のほぼ１８０度ずれた位置に形成されていることを特徴とする開閉装置の操作機構。
【手続補正２】
【補正対象書類名】明細書
【補正対象項目名】０００６
【補正方法】変更
【補正の内容】
【０００６】
この発明の開閉装置の操作機構は、放勢によりカム軸を回転させて、開閉装置の接点を投入するための投入駆動力を与える投入ばねと、カム軸から伝達される投入ばねの蓄勢エネルギーを、投入レバーを介して保持する第１の半月ラッチと、第１の半月ラッチによる保持が解除されて投入ばねが放勢されたとき、カム軸に設けられたカムに押圧されて回動し、リンク機構を介して開閉装置に投入駆動力を伝達する出力レバーと、リンク機構に設けた遮断ばねの蓄勢エネルギーが伝達されて出力レバーが引外し方向に回動するのを引外しレバーを介して阻止し、遮断ばねの蓄勢エネルギーを保持する第２の半月ラッチとを備え、投入レバーは、一端側に係止部が形成され他端側が回動可能に支持され、係止部と回動中心部との間の回動中心部に近い位置にピンが設けられており、
カムの回転によりピンが押されて投入レバーが回動し、投入レバーの係止部が第１の半月ラッチに設けた切欠部と係合することで、投入ばねの蓄勢エネルギーが保持されるように構成されたものである。
また、引外しレバーは、一端側に係止部が形成され他端側が回動可能に支持され、係止部と回動中心部との中間部に設けられた軸ピンに一端が回動可能に支持された中間レバーを備えており、遮断ばねの蓄勢エネルギーにより、出力レバーが引外し方向に回動しようとする駆動力で、出力レバーに設けられたラッチピンに中間レバーの他端側が押されて引外しレバーが回動し、引外しレバーの係止部と第２の半月ラッチに設けた切欠部とが係合することで、遮断ばねの蓄勢エネルギーが保持されるように構成されたものである。
【国際調査報告】
2011055564.tif 000016
2011055564.tif 000017